(57)【要約】【課題】点検スイッチ操作部に対するセードの位置決めの不要な非常用照明器具の提供を目的とする。【解決手段】非常用照明器具１００は、本体１０と、本体１０に配置され、交流電源の供給遮断の検知に応じて光を発する光源４０と、本体１０に配置され、光源４０を非常点灯点検するための点検スイッチ３１と点検スイッチをオンオフするスイッチ操作部３２ａとを有する操作部付き点検スイッチ３０と、本体１０に装着されて非常用照明器具１００が天井に取り付けられた場合に本体１０の下部を覆うとともに光源４０の発する光が通過する開口部６０を有するカバー２０とを備え、カバー２０の本体１０への装着時において、非常用照明器具１００が天井に取り付けられた状態で非常用照明器具１００を見上げたときに、スイッチ操作部３２ａと光源４０とは、開口部６０の領域内に位置するように配置されている。【選択図】図１
2008243423.tif 000002
【特許請求の範囲】
【請求項１】
天井に取り付けられるとともに、交流電源の供給遮断を検知して光源が点灯する非常用照明器具において、
本体と、
前記本体に配置され、交流電源の供給遮断の検知に応じて光を発する光源と、
前記本体に配置され、前記光源を非常点灯点検するための点検スイッチと前記点検スイッチをオンオフするためのオンオフ部とを有するオンオフ部付き点検スイッチと、
前記本体に装着されて自己である非常用照明器具が天井に取り付けられた場合に前記本体の下側となる下部を覆うとともに前記光源の発する光が通過する開口部を有するカバーと
を備え、
前記カバーの前記本体への装着時において、自己である非常用照明器具が天井に取り付けられた状態で前記非常用照明器具を見上げたときに、前記オンオフ部と前記光源とは、前記開口部の領域内に位置するように配置されたことを特徴とする非常用照明器具。
【請求項２】
前記光源は、
自己である非常用照明器具が天井に取り付けられた状態で前記非常用照明器具を見上げたときに、略円周形状に位置するように配置された複数の発光ダイオードからなり、
前記オンオフ部付き点検スイッチの前記オンオフ部は、
自己である非常用照明器具が天井に取り付けられた状態で前記非常用照明器具を見上げたときに、前記略円周形状の内部の領域に位置するように配置されたことを特徴とする請求項１記載の非常用照明器具。
【請求項３】
前記オンオフ部付き点検スイッチの前記オンオフ部は、
押しボタンである請求項１または２のいずれかに記載の非常用照明器具。
【請求項４】
前記オンオフ部付き点検スイッチの前記オンオフ部は、
板状体であることを特徴とする請求項１または２のいずれかに記載の非常用照明器具。
【請求項５】
前記オンオフ部付き点検スイッチの前記オンオフ部は、
ひも状体であることを特徴とする請求項１または２のいずれかに記載の非常用照明器具。
【請求項６】
前記オンオフ部付き点検スイッチの前記オンオフ部は、
前記点検スイッチにオンとオフとのいずれかの動作をさせる動作信号を送信するリモコンから動作信号を受信する受信装置であり、
前記点検スイッチは、
前記受信装置である前記オンオフ部が前記リモコンから受信した動作信号に従ってオンオフすることを特徴とする請求項１または２のいずれかに記載の非常用照明器具。
【請求項７】
前記非常用照明器具は、さらに、
前記本体に配置され、自己である前記非常用照明器具が正常かどうかを表示するインジケータであって、前記カバーの前記本体への装着時において、自己である非常用照明器具が天井に取り付けられた状態で前記非常用照明器具を見上げたときに、前記開口部の領域内に位置するように配置されたインジケータを備えたことを特徴とする請求項１記載の非常用照明器具。
【発明の詳細な説明】
【技術分野】
【０００１】
この発明は、非常用照明器具の点検スイッチをオンオフするスイッチ操作部の配置に関する。
【背景技術】
【０００２】
実開平６−５０１２号公報（特許文献１）の場合は、例えば前記公報の図１に示されるように、本体から垂下している点検スイッチ操作部である操作板７を、セード１の挿通孔２に通す為に、操作板７に対して挿通孔２が垂直（操作板７に対して挿通孔２が真下）になる位置を探る必要があった。すなわち、前記公報の図１において、天井に固定された本体３に対して、セード１を「Ｃ」あるいは「Ｂ」の方向に回転して位置決めする必要があった。非常用照明器具の取り付けの際、あるいは電池交換等のメンテナンス際には、このようなセード１の取り付けの動作が生じるので、この位置決めの動作が面倒であった。
【特許文献１】実開平６−５０１２号公報
【発明の開示】
【発明が解決しようとする課題】
【０００３】
この発明は、点検スイッチ操作部に対するセードの位置決めの不要な非常用照明器具の提供を目的とする。
【課題を解決するための手段】
【０００４】
この発明の非常用照明器具は、
天井に取り付けられるとともに、交流電源の供給遮断を検知して光源が点灯する非常用照明器具において、
本体と、
前記本体に配置され、交流電源の供給遮断の検知に応じて光を発する光源と、
前記本体に配置され、前記光源を非常点灯点検するための点検スイッチと前記点検スイッチをオンオフするためのオンオフ部とを有するオンオフ部付き点検スイッチと、
前記本体に装着されて自己である非常用照明器具が天井に取り付けられた場合に前記本体の下側となる下部を覆うとともに前記光源の発する光が通過する開口部を有するカバーと
を備え、
前記カバーの前記本体への装着時において、自己である非常用照明器具が天井に取り付けられた状態で前記非常用照明器具を見上げたときに、前記オンオフ部と前記光源とは、前記開口部の領域内に位置するように配置されたことを特徴とする。
【発明の効果】
【０００５】
この発明により、セードを回転させて位置を探る必要がなくなるため、非常用照明器具における施工性を改善することができる。
【発明を実施するための最良の形態】
【０００６】
実施の形態１．
図１〜図５を参照して実施の形態１を説明する。
【０００７】
図１は、実施の形態１における非常用照明器具１００の構成を示す図である。図１（ａ）は、非常用照明器具１００が天井に取り付けられた状態を示している。図１（ｂ）は、図１（ａ）におけるＡ方向矢視を示している。すなわち、図１（ｂ）は、非常用照明器具１００が天井に取り付けられた状態で非常用照明器具１００を見上げた場合を示す図である。また、図１（ａ）には、図１（ｂ）におけるＢ−Ｂ断面が現れている。なお、断面Ｂ−Ｂでは、発光ダイオード４０、インジケータ７０、操作部付き点検スイッチ３０等は切断していない。
【０００８】
非常用照明器具１００は、天井に取り付けられ、交流電源の供給遮断を検知し、光源である発光ダイオード４０が点灯する。非常用照明器具１００は、例えば、天井に直付され、あるいは天井の埋め込み穴に取り付けられる。図１（ａ）は、取り付けバネにより天井の埋め込み穴に取り付けられるタイプの非常用照明器具１００を示している。
【０００９】
図１（ａ）、（ｂ）に示すように、非常用照明器具１００は、本体１０と、本体１０に配置され、交流電源の供給遮断の検知に応じて光を発する光源である複数の発光ダイオード４０と、本体１０に配置され、光源を非常点灯点検するための点検スイッチ３１と点検スイッチ３１をオンオフするためのスイッチ操作部３２ａ（オンオフ部）とを有する操作部付き点検スイッチ３０（オンオフ部付き点検スイッチ）と、本体１０に装着されて非常用照明器具１００が天井に取り付けられた場合に本体１０の下側となる下部を覆うとともに光源である発光ダイオードの発する光が通過する開口部６０を有するセード２０（カバー）と、交流電源の供給遮断が検知された場合に発光ダイオード４０に電力を供給する電池５０と、非常用照明器具１００が正常かどうかを表示するインジケータ７０とを備える。
【００１０】
図１（ａ）に示す非常用照明器具１００の操作部付き点検スイッチ３０は、スイッチ操作部３２ａが押しボタンタイプの場合を示している。点検者は、スイッチ操作部３２ａである押しボタンを押すことによって非常用照明器具１００を点検する。
【００１１】
図２は、図１（ｂ）におけるＣ−Ｃ断面の概要を示す図である。Ｃ−Ｃ断面は、本体１０とセード２０との関係、開口部６０とスイッチ操作部３２ａ及び発光ダイオード４０との関係等を示すための便宜的な断面図であり、発光ダイオード４０、操作部付き点検スイッチ３０等は切断しておらず、また、インジケータ７０は省略してある。図２には、本体１０と、セード２０と、点検スイッチ３１と、スイッチ操作部３２ａと、基板に取り付けられた状態の発光ダイオード４０と、電池５０、および開口部６０とを示した。図２に示すように、セード２０は、本体１０に装着され、非常用照明器具１００が天井に取り付けられた場合に本体１０の下側となる下部を覆うとともに発光ダイオード４０の発する光が通過する開口部６０を有する。
【００１２】
図３（ａ），（ｂ）は、セード２０の形状を説明する図である。図３（ａ）は、セード２０の斜視図である。図３（ｂ）は、図３（ａ）のＤ―Ｄ断面である。図３（ａ），（ｂ）に示すように、セード２０は、光源の光を通す開口部６０を有する。
【００１３】
（光源とスイッチ操作部との配置）
非常用照明器具１００の特徴は、図１（ｂ）に示すように、セード２０の本体１０への装着時において、非常用照明器具１００が天井に取り付けられた状態で非常用照明器具１００を見上げたときに、スイッチ操作部３２ａと光源である複数の発光ダイオード４０とが、開口部６０の領域内に位置するように配置されていることである。具体的には、光源は、図１（ｂ）に示すように、非常用照明器具１００が天井に取り付けられた状態で非常用照明器具１００を見上げたときに、略円周形状に位置するように配置された複数（図１（ｂ）では８個）の発光ダイオード４０からなっている。そして、スイッチ操作部３２ａは、非常用照明器具１００が天井に取り付けられた状態で非常用照明器具１００を見上げたときに、８個の発光ダイオード４０が形成する略円周形状の内部の領域に位置するように配置されている。
【００１４】
（インジケータの配置）
また、図１（ｂ）に示すように、インジケータ７０についても、スイッチ操作部３２ａと同様に、セード２０の本体１０への装着時において、非常用照明器具１００が天井に取り付けられた状態で非常用照明器具１００を見上げたときに、８個の発光ダイオード４０が形成する略円周形状の内部の領域に位置するように配置されている。
【００１５】
このように、スイッチ操作部３２ａは、８個の発光ダイオード４０が形成する略円周形状の内部の領域に位置するように配置されているので、天井に固定された本体１０に対してセード２０を装着する場合には、従来例のようにスイッチ操作部（操作板）と挿通孔との位置関係を考慮することなく、セード２０を取り付けることが可能となる。すなわち、天井に固定された本体１０に対してセード２０を装着する場合に、スイッチ操作部（操作板）と挿通孔との位置関係を考慮することなく、本体１０とセード２０との装着方式を採用することができるので、非常用照明器具における施工性を改善することができる。また、インジケータ７０もスイッチ操作部３２ａと同様に、８個の発光ダイオード４０が形成する略円周形状の内部の領域に位置するように配置されている。このため、インジケータ７０の位置を気にすることなく、本体１０とセード２０との装着方式を採用することができるので、非常用照明器具における施工性を改善することができる。
【００１６】
図４は図１に対応する図であり、スイッチ操作部３２ｂが、スティック状の「板状体」である場合を示す図である。図４の場合は、点検者は、スイッチ操作部３２ｂである「板状体」を引くことによって非常用照明器具１００を点検する。なお、図４では「板状体」を示したが、「板状体」の代わりに「ひも」を用いても構わない。
【００１７】
図５は図１に対応する図であり、スイッチ操作部３２ｃが、点検スイッチ３１にオンとオフとのいずれかの動作をさせる動作信号を送信するリモコン（図示していない）から動作信号を受信する受信装置である場合を示す図である。点検スイッチ３１は、この受信装置であるスイッチ操作部３２ｃがリモコンから受信した動作信号に従ってオンオフする。点検者は、リモコンを用いることによって、非常用照明器具１００を点検する。
【００１８】
以上のように、スイッチ操作部３２ａは、８個の発光ダイオード４０が形成する略円周形状の内部の領域に位置するように配置されているので、天井に固定された本体１０に対してセード２０を装着する場合には、従来例のようにスイッチ操作部（操作板）と挿通孔との位置関係を考慮することなく、セード２０を取り付けることが可能となる。すなわち、天井に固定された本体１０に対してセード２０を装着する場合に、スイッチ操作部（操作板）と挿通孔との位置関係を考慮することなく、本体１０とセード２０との装着方式を採用することができるので、非常用照明器具における施工性を改善することができる。
【図面の簡単な説明】
【００１９】
【図１】実施の形態１における非常用照明器具１００の構成を示す図。
【図２】実施の形態１におけるＣ−Ｃ断面を示す図。
【図３】実施の形態１におけるセード２０の形状を説明する図。
【図４】実施の形態１における板状体のスイッチ操作部３２ｂを示す図。
【図５】実施の形態１における受信装置のスイッチ操作部３２ｃを示す図。
【符号の説明】
【００２０】
１０  本体、２０  セード、３０  操作部付き点検スイッチ、３１  点検スイッチ、３２ａ，３２ｂ，３２ｃ  スイッチ操作部、４０  発光ダイオード、５０  電池、６０  開口部、７０  インジケータ、１００  非常用照明器具。
【図１】
2008243423.tif 000003
【図２】
2008243423.tif 000004
【図３】
2008243423.tif 000005
【図４】
2008243423.tif 000006
【図５】
2008243423.tif 000007